(57)【要約】  【課題】撮影時における駆動部材の作動終了時において駆動ピンの当接する緩衝部材が、高温で硬度が低下していても、駆動部材のバウンドを抑制し、好適に停止できるようにしたカメラ用フォーカルプレンシャッタを提供すること。  【解決手段】先羽根用駆動部材１０は、先羽根用電磁石１７の鉄芯部材１７ａに吸着される鉄片部材１１を備えている。プリント基板７に立設されていて、支持板６の孔６ｄからシャッタ地板１側に挿入されている取付軸１９の先端には、周面に弾性を有する被覆部材２３を取り付けた永久磁石２１が圧入されている。先羽根用駆動部材１０は、露光作動の終了時に、駆動ピン１０ｃが、緩衝部材４に当接して停止するが、緩衝部材４の硬度が低下しているときは、駆動ピン１０ｃが緩衝部材４に当接したあと、鉄片部材１１の鍔部１１ｃが被覆部材２３に当接し、永久磁石２１の磁力でバウンドを抑制されて停止する。【選択図】  図２
2008257016.tif 000002
【特許請求の範囲】
【請求項１】
両方の間に少なくとも一つの羽根室を構成しており一方には円弧状の長孔が少なくとも一つ形成されている二つの地板と、弾性材料で製作されていて前記長孔の長さ方向の端部に取り付けられている緩衝部材と、複数のアームとそれらのアームに枢支された少なくとも１枚の羽根とで構成されていて羽根室内においてそれらのアームの一端を前記地板の一方に回転可能に取り付けている少なくとも一つのシャッタ羽根と、羽根室外において前記一方の地板に対して間接的に取り付けられている少なくとも一つの電磁石と、前記長孔を貫通して前記アームの一つに連結された駆動ピンを有していて羽根室外において前記一方の地板に回転可能に取り付けられており往復回転をすることによって前記シャッタ羽根に開閉作動を行わせ一方の回転終了時には該駆動ピンを前記緩衝部材に当接させる少なくとも一つの駆動部材と、軸部の一端にはセット時において前記電磁石の鉄芯に接触させられる鉄片部を有し他端には鍔部を有していて該軸部に圧縮ばねを嵌装させて前記駆動部材に取り付けられている鉄片部材と、羽根室外で前記一方の地板に対して間接的に取り付けられており前記駆動ピンが前記緩衝部材に当接し圧縮させ始めたあとにおいて前記鍔部が当接し得る位置に配置されている永久磁石製のストッパ部材と、を備えていることを特徴とするカメラ用フォーカルプレンシャッタ。
【請求項２】
前記永久磁石製のストッパ部材は、少なくとも前記鍔部の当接面に、弾性を有する被覆部材を取り付けていることを特徴とする請求項１に記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根（先羽根，後羽根）を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、そのようないずれのフォーカルプレンシャッタの場合でも、シャッタ羽根の構成は略同じであり、長さ方向の一端をシャッタ地板に回転可能に取り付けている複数のアームと、それらのアームに枢支された少なくとも１枚の羽根とで構成されている。
【０００４】
また、シャッタ羽根の駆動部材は、シャッタ地板の羽根室外の面に回転可能に取り付けられており、その駆動ピンを、シャッタ地板に形成された円弧状の長孔から羽根室内に延伸させ、上記のアームの一つに形成されている孔に嵌合させている。それによって、駆動部材が往復回転をすると、シャッタ羽根が露光開口の開閉作動を行うようになっている。そして、その駆動部材は、一方へは、駆動ばねの付勢力によって回転させられ、他方へは、シャッタ地板に回転可能に取り付けられたセット部材によって回転させられるように構成されているのが普通であるが、最近では、そのような駆動ばねを用いることなく、電磁アクチュエータによって、両方向へ回転させるようにしたものも知られている。
【０００５】
このようなフォーカルプレンシャッタの場合、撮影時には、シャッタ羽根は高速で作動させられるが、その作動終了時には、駆動部材やシャッタ羽根は、ストッパに当接して停止させられる。ところが、ストッパに当接したとき大きくバウンドすると、露光むらを発生させる原因になるし、当接したときの衝撃が大きいと、シャッタ羽根の破壊の原因になることから、停止位置にはブチルゴム製などの弾性材料からなる緩衝部材を取り付けておき、それらに駆動部材やシャッタ羽根を当接させるようにしているのが普通である。そして、下記の特許文献１に記載されているフォーカルプレンシャッタの場合には、駆動部材とシャッタ羽根を好適に停止させるために、駆動部材の駆動ピンが当接する緩衝部材と、シャッタ羽根のアームが当接する緩衝部材と、シャッタ羽根の羽根が当接する緩衝部材を備えている。本発明は、それらのうち、駆動部材を好適に停止させるようにした構成に関するものである。
【０００６】
【特許文献１】特開平１０−３１９４７２号公報
【発明の開示】
【発明が解決しようとする課題】
【０００７】
上記したように、一般に、シャッタ地板には、円弧状の長孔が形成されており、駆動部材の駆動ピンは、その長孔から羽根室内に挿入され、シャッタ羽根のアームに連結されている。そして、特許文献１にも記載されているように、撮影の終了時においては、駆動部材は、その長孔の端部に取り付けられている緩衝部材に駆動ピンを当接させ、その緩衝部材を圧縮させることによって制動され且つ衝撃を吸収されて停止させられるようになっている。しかしながら、上記したように、緩衝部材は、ブチルゴム等の弾性材料で製作されている。そのため、想定されていないような高温になると硬度が低下して制動作用が損なわれてしまうことがある。そして、その結果、駆動部材が大きくバウンドするようになって、シャッタ羽根を一時的に逆方向へ作動させてしまったり、シャッタ羽根を破壊してしまうという問題点がある。
【０００８】
本発明は、このような問題点を解決するためになされたものであり、その目的とするところは、撮影時における駆動部材の作動終了時において駆動ピンの当接する緩衝部材が、高温で硬度が低下していたとしても、駆動部材のバウンドを抑制し、好適に停止できるようにしたカメラ用フォーカルプレンシャッタを提供することである。
【課題を解決するための手段】
【０００９】
上記の目的を達成するために、本発明のカメラ用フォーカルプレンシャッタは、両方の間に少なくとも一つの羽根室を構成しており一方には円弧状の長孔が少なくとも一つ形成されている二つの地板と、弾性材料で製作されていて前記長孔の長さ方向の端部に取り付けられている緩衝部材と、複数のアームとそれらのアームに枢支された少なくとも１枚の羽根とで構成されていて羽根室内においてそれらのアームの一端を前記地板の一方に回転可能に取り付けている少なくとも一つのシャッタ羽根と、羽根室外において前記一方の地板に対して間接的に取り付けられている少なくとも一つの電磁石と、前記長孔を貫通して前記アームの一つに連結された駆動ピンを有していて羽根室外において前記一方の地板に回転可能に取り付けられており往復回転をすることによって前記シャッタ羽根に開閉作動を行わせ一方の回転終了時には該駆動ピンを前記緩衝部材に当接させる少なくとも一つの駆動部材と、軸部の一端にはセット時において前記電磁石の鉄芯に接触させられる鉄片部を有し他端には鍔部を有していて該軸部に圧縮ばねを嵌装させて前記駆動部材に取り付けられている鉄片部材と、羽根室外で前記一方の地板に対して間接的に取り付けられており前記駆動ピンが前記緩衝部材に当接し圧縮させ始めたあとにおいて前記鍔部が当接し得る位置に配置されている永久磁石製のストッパ部材と、を備えているようにする。
【００１０】
その場合、前記永久磁石製のストッパ部材は、少なくとも前記鍔部の当接面に、弾性を有する被覆部材を取り付けているようにすることが好ましい。
【発明の効果】
【００１１】
本発明のカメラ用フォーカルプレンシャッタは、永久磁石製のストッパ部材を、駆動部材の駆動ピンが緩衝部材に当接し圧縮させ始めたあとにおいて、駆動部材に取り付けられている鉄片部材の鍔部が当接し得る位置に配置しているので、高温によって緩衝部材の硬度が低下した場合であっても、永久磁石の磁力によって駆動部材はバウンドを抑制され、好適に停止させられるという効果がある。
【発明を実施するための最良の形態】
【００１２】
本発明の実施の形態を、図示した実施例によって説明する。本発明は、上記のように、二つのシャッタ羽根を備えたフォーカルプレンシャッタにも、一つのシャッタ羽根を備えたフォーカルプレンシャッタにも適用することができるものであるが、実施例は、先羽根及び後羽根と称されている二つのシャッタ羽根を備えたフォーカルプレンシャッタに適用したものである。また、二つのシャッタ羽根を備えたフォーカルプレンシャッタは、上記のように、銀塩フィルムカメラにも、デジタルカメラにも採用することができるが、実施例は、デジタルカメラに採用された場合で説明する。
【実施例】
【００１３】
図１〜図５を用いて本実施例を説明する。尚、図１は、露光作動終了直後の状態を被写体側から見て約左半分を示した実施例の平面図である。また、図２は、図１の一部拡大図であり、図３は、図２の要部を右側から見て一部を断面で示したの側面図である。更に、図４及び図５は、図１と同様にして見て示した平面図であって、図４は、セット状態を示したものであり、図５は、露光作動開始直前の状態を示したものである。
【００１４】
そこで先ず、主に図１〜図３を用いて、本実施例の構成を説明する。シャッタ地板１は、その略中央部に長方形を横長にした被写体光路用の開口部１ａを有しているが、図１は、被写体側から見て約左半分を示したものであるため、開口部１ａも一部だけが示されている。図１において、シャッタ地板１の一部を破断して示しているように、シャッタ地板１の固体撮像素子側には、所定の間隔を空けて中間板２と補助地板３が、適宜な手段によって順に取り付けられており、シャッタ地板１と中間板２との間に後羽根の羽根室を構成し、中間板２と補助地板３の間に先羽根の羽根室を構成している。そして、それらの中間板２や補助地板３にも、開口部１ａと重なるところに、開口部１ａよりも若干大きくて周知の形状をした開口部２ａ，３ａが形成されている。そのため、本実施例の場合には、開口部１ａが露光開口を規制していることになる。
【００１５】
シャッタ地板１には、開口部１ａの左側の領域に、略円弧状をした二つの大きな長孔１ｂ，１ｃが形成されており、それらの下端には、ブチルゴム製であって平面形状が略Ｃ字形をしている周知の緩衝部材４，５が取り付けられている。また、シャッタ地板１の被写体側の面には、軸１ｄ，１ｅ，１ｆ，１ｇ，１ｈが立設されている。そして、支持板６は、金属製であって、三つの孔６ａ，６ｂ，６ｃを、上記の軸１ｄ，１ｅ，１ｆの先端に設けられた小径部に嵌合させている。また、図１において一点鎖線で輪郭だけが示されている硬質のプリント基板７は、支持板６の被写体側に重ねられていて、支持板６と共に、二つのねじ８，９によって、上記の軸１ｇ，１ｈの先端面に取り付けられている。
【００１６】
先羽根用駆動部材１０は、上記の軸１ｄに回転可能に取り付けられていて、図示していない周知の先羽根用駆動ばねによって時計方向へ回転するように付勢されている。この先羽根用駆動部材１０は、図２に拡大して示してあるように、被押動部１０ａと、支持板６側へ肉厚に形成された取付部１０ｂと、シャッタ地板１側に立設された駆動ピン１０ｃとを有していて、駆動ピン１０ｃを、上記の長孔１ｂに挿入している。また、取付部１０ｂには空洞部が形成されていて、そこに、周知のようにして、磁性体の鉄片部材１１が取り付けられている。そして、その鉄片部材１１は、軸部１１ａと、その一端に固定されている鉄片部１１ｂと、他端に形成されている鍔部１１ｃとからなっており、空洞内において軸部１１ａに嵌装されている圧縮ばね１２によって、鉄片部１１ｂを空洞外へ突き出すように付勢されている。
【００１７】
後羽根用駆動部材１３は、シャッタ地板１の軸１ｅに回転可能に取り付けられていて、図示していない周知の後羽根用駆動ばねによって時計方向へ回転するように付勢されている。この後羽根用駆動部材１３は、ローラ１３ａを取り付けているほか、支持板６側へ肉厚に形成された取付部１３ｂと、シャッタ地板１側に立設された駆動ピン１３ｃを有していて、駆動ピン１３ｃを、上記の長孔１ｃに挿入している。また、取付部１３ｂには空洞部が形成されていて、そこに、磁性体の鉄片部材１４が取り付けられている。そして、その鉄片部材１４は、上記の鉄片部材１１と同様に、軸部１４ａと、鉄片部１４ｂと、鍔部１４ｃとからなっており、空洞内において軸部１４ａに嵌装されている圧縮ばね１５によって、鉄片部１４ｂを空洞外へ突き出すように付勢されている。
【００１８】
セット部材１６は、シャッタ地板１の軸１ｆに回転可能に取り付けられており、図示していない周知の復帰ばねによって反時計方向へ回転するように付勢されているが、図１は、その回転を図示していない手段によって阻止されている状態を示したものである。以下においては、この位置を初期位置ということにする。そして、このセット部材１６は、先羽根用駆動部材１０の被押動部１０ａを押す押動部１６ａと、後羽根用駆動部材１３のローラ１３ａを押す押動部１６ｂと、図示していないカメラ本体側の部材によって押される被押動部１６ｃとを有している。
【００１９】
上記の支持板６は、シャッタ地板１側に折り曲げた複数の折曲部を有していて、それらに、先羽根用電磁石１７と後羽根用電磁石１８を取り付けている。そして、それらの電磁石１７，１８は、周知のように、図１の側方から見た場合に略Ｕ字形をしている鉄芯部材１７ａ，１８ａと、それらの一方の脚部に嵌装されていてコイル１７ｂ，１８ｂを巻回しているボビン１７ｃ，１８ｃとからなっている。
【００２０】
また、上記のプリント基板７には、同じ形状をした合成樹脂製の取付軸１９，２０が固定されていて、支持板６に設けられた孔６ｄ．６ｅからシャッタ地板１側へ挿入されている。図２及び図３において、取付軸１９が拡大して示されているように、これらの取付軸１９，２０の断面形状は、根元側の軸部が円形であって、先端側の軸部が小判型をしているが、図１及び図２においては、それらの先端側の軸部を断面で示してある。そして、それらの先端側の軸部には、ストッパ部材として断面が小判型の孔を有している筒状の永久磁石２１，２２が取り付けられており、それらの永久磁石２１，２２の外周には、弾性を有するエラストマー樹脂製のチューブ状の被覆部材２３，２４が取り付けられている。
【００２１】
尚、本実施例において、取付軸１９，２０の先端側の軸部の断面形状を小判型にし、永久磁石２１，２２の孔を小判型にしたのは、図２から分かるように、永久磁石２１，２２の着磁方向を目視できるようにするためと、取付軸１９，２０の先端側の軸部を永久磁石２１，２２の孔に圧入したとき、各永久磁石２１，２２の一方の磁極の向きが必ず鉄片部材１１，１４の鍔部１１ｃ，１４ｃの向きになるように位置決めするためである。
【００２２】
最後に、二つのシャッタ羽根である先羽根と後羽根の構成を説明するが、それらの構成は周知であるため、図１，図４，図５においては、それらを構成している部材の一部だけを示している。従って、それらの説明も簡単にすることにする。先ず、上記したように、中間板２と補助地板３との間に配置されている先羽根は、図４及び図５に示されている二つのアーム２５，２６と、それらの長さ方向へ順に枢支された３枚の羽根２７，２８，２９とで構成されており、アーム２５，２６は、羽根２７，２８，２９よりも補助地板３側に配置されていて、それらの一端を、シャッタ地板１の羽根室側に立設された図示していない二つの軸に対して回転可能に取り付けられている。そして、羽根２９がスリット形成羽根であって、アーム２５に形成されている図示していない孔には、上記の先羽根用駆動部材１０の駆動ピン１０ｃが嵌合している。
【００２３】
他方、シャッタ地板１と中間板２との間に配置されている後羽根は、図１に示されている二つのアーム３０，３１と、それらの長さ方向へ順に枢支された３枚の羽根３２，３３，３４とで構成されており、アーム３０，３１は、羽根３２，３３，３４よりもシャッタ地板１側に配置されていて、それらの一端を、シャッタ地板１の羽根室側に立設された図示していない二つの軸に対して回転可能に取り付けられている。そして、羽根３４がスリット形成羽根であって、アーム３０に形成されている図示していない孔には、上記の後羽根用駆動部材１３の駆動ピン１３ｃが嵌合している。
【００２４】
尚、このように、本実施例のシャッタ羽根は、先羽根も後羽根も、駆動ピン１０ｃ，１３ｃに連結されていないアームは一つずつであるが、二つ以上にしたものも知られている。また、本実施例の場合には、先羽根も後羽根も、３枚ずつの羽根を枢支しているが、１枚ずつにすることも、３枚以外の複数枚ずつにすることも知られているほか、先羽根と後羽根では異なる枚数にすることも知られている。本発明のシャッタ羽根は、それらのうちのどの構成であっても構わない。
【００２５】
次に、本実施例の作動を説明する。図１は、先羽根と後羽根が露光作動を終了した直後の状態を示したものである。そのため、図４及び図５に示されている先羽根の３枚の羽根２７〜２９は、重畳されて開口部１aの下方位置に格納されており、後羽根の３枚の羽根３２〜３４は展開されて開口部１aを覆っている。また、このとき、各駆動部材１０，１３に取り付けられている鉄片部材１１，１４の鍔部１１ｃ，１４ｃは、永久磁石２１，２２に取り付けられている被服部材２３，２４に接触していて、鍔部１１ｃ，１４ｃには、永久磁石２１，２２による吸引力が作用している。この状態において、撮像情報が固体撮像素子から記憶装置に転送されると、直ちにセット作動が行われる。
【００２６】
セット作動は、図１の状態において、図示していないカメラ本体側の部材がセット部材１６の被押動部１６ｃを押して、セット部材１６を、図示していない復帰ばねの付勢力に抗して時計方向へ回転させることによって行われる。それによって、セット部材１６は、先ず、その押動部１６ａが、先羽根用駆動部材１０の被押動部１０ａを押し、図示していない先羽根用駆動ばねの付勢力に抗して先羽根用駆動部材１０を反時計方向へ回転させ始める。そして、その後、先羽根のスリット形成羽根２９が、後羽根のスリット形成羽根３４に所定量重なると、セット部材１６のもう一方の押動部１６ｂが、後羽根用駆動部材１３に取り付けられているローラ１３ａを押すことにより、図示していない後羽根用駆動ばねの付勢力に抗して後羽根用駆動部材１３を反時計方向へ回転させ始める。そのため、それ以後は、先羽根の羽根２７〜２９は、羽根同士の重なりを小さくしつつ上方へ作動し、後羽根の羽根３２〜３４は、羽根同士の重なりを大きくしつつ上方へ作動していく。
【００２７】
このようにして、セット作動が行われてゆき、先羽根の羽根２７〜２９が展開して開口部１ａを覆い、後羽根の羽根３２〜３４が重畳して開口部１ａの上方位置に格納された状態になると、各駆動部材１０，１３に取り付けられている鉄片部材１１，１４の鉄片部１１ｂ，１４ｂが、先羽根用電磁石１７と後羽根用電磁石１８の鉄芯部材１７ａ，１８ａに接触するようになる。しかしながら、各駆動部材１０，１３は、それよりも僅かに反時計方向へ回転させられてから、セット部材１６に対する図示していないカメラ本体側の部材の押動が停止することによって停止させられ、図４に示されたセット状態になる。従って、図４から分かるように、このセット状態においては、圧縮ばね１２，１５は圧縮されていて、鉄片部材１１，１４の鍔部１１ｃ，１４ｃは、各駆動部材１０，１３の取付部１０ｂ，１３ｂから離れている。そして、セット部材１６は、次の撮影が行われるまで、この状態を維持させられている。
【００２８】
次の撮影に際して、レリーズボタンが押されると、先ず、先羽根用電磁石１７のコイル１７ｂと後羽根用電磁磁石１８のコイル１８ｂに通電されるので、夫々の鉄芯部材１７ａ，１８ａが、鉄片部材１１，１４の鉄片部１１ｂ，１４ｂを吸着保持する。その後、セット部材１６の被押動部１６ｃに対する図示していないカメラ本体側の部材による抑止力が解かれ、セット部材１６は、図示していない復帰ばねの付勢力によって図４の位置から反時計方向へ回転させられる。そして、その回転の初期段階において、セット部材１６の押動部１６ａ，１６ｂが先羽根用駆動部材１０の被押動部１０ａと後羽根用駆動部材１３のローラ１３ａから離れることになるが、その段階においては、各駆動部材１０，１３は、既に上記のように各駆動部材１０，１３の鉄片部材１１，１４が鉄芯部材１７ａ，１８ａに吸着保持されているので、それらの取付部１０ｂ，１３ｂが鉄片部材１１，１４の鍔部１１ｃ，１４ｃに接触した状態となって、露光作動を開始してしまうことがない。そして、その後、セット部材１６が初期位置に復帰した状態が、図５に示された状態である。
【００２９】
図５に示されている状態になると、先ず、先羽根用電磁石１７のコイル１７ｂに対する通電が断たれる。それによって、鉄片部材１１に対する鉄芯部材１７ａの吸引力が失われるため、先羽根用駆動部材１０は、図示していない先羽根用駆動ばねの付勢力によって急速に時計方向へ回転させられる。そのため、先羽根の３枚の羽根２７〜２９は、羽根同士の重なりを大きくしつつ略下方へ移動させられ、開口部１ａを上方から開いていく。次に、後羽根用電磁石１８のコイル１８ｂに対する通電が断たれると、鉄片部材１４に対する鉄芯部材１８ａの吸引力が失われるため、後羽根用駆動部材１３は、図示していない後羽根用駆動ばねの付勢力によって急速に時計方向へ回転させられる。そのため、後羽根の３枚の羽根３２〜３４は、羽根同士の重なりを小さくしつつ略下方へ移動させられ、開口部１ａを上方から閉じていく。従って、その後は、先羽根のスリット形成羽根２９と後羽根のスリット形成羽根３４との間に形成されるスリットにより、固体撮像素子の撮像面を順に露光していくことになる。
【００３０】
その後、先羽根の３枚の羽根２７〜２９が開口部１ａから完全に退くと、先羽根用駆動部材１０は、駆動ピン１０ｃが緩衝部材４に当接し、圧縮させながら制動されて停止する。続いて、後羽根駆動部材１３の方も、後羽根の３枚の羽根３２〜３４が開口部１ａを完全に覆うと、駆動ピン１３ｃが緩衝部材５に当接し、圧縮させながら制動されて停止する。その状態が、図１に示された状態であって、この状態になると、撮像情報が固体撮像素子から記憶装置に転送され、上記のようにして次のセット作動が開始されることになる。
【００３１】
ところで、上記の作動説明では、先羽根用駆動部材１０と後羽根駆動部材１３の露光作動が、緩衝部材４，５の存在だけによって、好適に停止させられる場合を説明した。しかしながら、カメラが異常な高温状態におかれると、緩衝部材４，５の硬度が低下し、所定の制動作用が損なわれてしまうことがある。そして、そのようになった場合には、当然のことながら、各駆動部材１０，１３は大きくバウンドし、先羽根と後羽根を大きく暴れさせてしまうことになり、露光むらを生じさせたり、羽根を損傷させたりしてしまう。ところが、本実施例の場合には、そのようなことが起きないようにされている。そこで、そのことを、主に図２及び図３を参照しながら、先羽根用駆動部材１０の場合で説明する。
【００３２】
図２及び図３に示されている状態においては、先羽根用駆動部材１０に取り付けられている鉄片部材１１の鍔部１１ｃが、永久磁石２１に取り付けられた被覆部材２３に接触している。しかしながら、通常は、緩衝部材４の硬度が低下していないので、先羽根用駆動部材１０は、鍔部１１ｃが被覆部材２３に接触する前に停止させられる。つまり、図２及び図３に示された状態は、緩衝部材４の硬度が低下しているために、先羽根用駆動部材１０が、通常よりも若干大きく回転して、この状態になったということである。このことからも分かるように、本実施例の永久磁石２１は、先羽根用駆動部材１０の駆動ピン１０ｃが緩衝部材４に当接し、圧縮させ始めたあとにおいて、先羽根用駆動部材１０が、通常よりも若干大きく回転したときに、鉄片部材１１の鍔部１１ｃが被覆部材２３に当接し得る位置に配置されている。そして、緩衝部材４の硬度が低下しているとはいえ、鍔部１１ｃが被覆部材２３に当接したときには、全く制動されていないというわけではないので、先羽根用駆動部材１０は、永久磁石２１の磁力によって吸着されてバウンドを抑制され、好適に停止させられる。
【００３３】
尚、上記の説明では、緩衝部材４の硬度が低下した場合だけ、鉄片部材１１の鍔部１１ｃが、永久磁石２１に取り付けられている被覆部材２３に当接する場合で説明した。しかしながら、緩衝部材４の硬度には許容公差があるし、緩衝部材４の形状精度や取付精度にも許容公差がある。そのため、緩衝部材４の硬度が低下しない場合であっても、緩衝部材４が大きく圧縮された段階で、鍔部１１ｃが被覆部材２３に当接することがあり得るが、そのような場合であっても、先羽根用駆動部材１０はバウンドを抑制されて停止することには変わりがない。従って、そのように構成されていても、本発明に含まれる。
【００３４】
また、本実施例の場合には、鍔部１１ｃの当接時の衝撃によって、永久磁石２１が損傷を受けないようにするために、被覆部材２３を取り付けているが、そのようなおそれのないときには、被覆部材２３を取り付ける必要がない。また、本実施例の永久磁石２１は円柱状をしているが、角柱状であっても構わない。更に、チューブ状の被覆部材２３の代わりに、弾性を有するシート状の被覆部材を当接面に取り付けても構わない。また、本実施例のように構成した場合には、鉄片部材１１の鍔部１１ｃに対する永久磁石２１の吸着力が、セット作動時の負荷となるため、カメラの仕様によっては、採用しにくい場合があるが、そのような場合には、永久磁石２１にコイルを付加し、セットの開始時だけ逆励磁するようにすればよい。
【００３５】
以上のように、本実施例のフォーカルプレンシャッタは、デジタルカメラに採用された場合で説明したが、銀塩フィルムを使用するカメラにも採用できることは言うまでもない。また、上記の説明においては、本実施例のフォーカルプレンシャッタを、シャッタ地板１を被写体側にして、カメラに取り付ける場合で説明した。しかしながら、周知のように、デジタルカメラに採用するときには、補助地板３を被写体側にして配置する場合もある。
【００３６】
また、本実施例のように、二つのシャッタ羽根を備えていて、デジタルカメラに採用されるフォーカルプレンシャッタの中には、ノーマリークローズ方式で作動させるものと、ノーマリーオープン方式で作動させるものとがある。本実施例は、それらのうちノーマリークローズ方式で作動させるものとして構成しているが、特開２９９３−２２２９２８号公報に開示されているように、ノーマリーオープン方式で作動させるものは、本実施例の先羽根用駆動部材１０を、本実施例における鉄片部材１１を備えていて先羽根用駆動ばねによって回転させられる第１部材と、本実施例における駆動ピン１０ｃを有していて露光作動時には第１部材によって一体的に回転させられる第２部材とに分割した構成をしている。本発明は、そのような構成のフォーカルプレンシャッタにも適用することができる。
【００３７】
また、本実施例のように、二つのシャッタ羽根を備えていて、銀塩フィルムを使用するカメラにも、デジタルカメラにも採用されるフォーカルプレンシャッタの中には、二重遮光方式を採用したフォーカルプレンシャッタが知られている。この二重遮光方式のフォーカルプレンシャッタは、特開２００３−６６５０９号公報に開示されているように、本実施例の後羽根用駆動部材１３を、本実施例における鉄片部材１３を備えていて後羽根用駆動ばねによって回転させられる第１部材と、本実施例における駆動ピン１３ｃを有していて露光作動時には第１部材によって一体的に回転させられる第２部材とに分割した構成をしたものである。本発明は、そのような構成のフォーカルプレンシャッタにも適用することができる。
【００３８】
更に、本実施例の構成において、先羽根用駆動部材１０，先羽根，先羽根用電磁石１７を取り除くと、周知のような、一つのシャッタ羽根を備えたデジタルカメラ用のフォーカルプレンシャッタになる。従って、そのように構成したものにも本発明を適用することができる。
【図面の簡単な説明】
【００３９】
【図１】露光作動終了直後の状態を被写体側から見て約左半分を示した実施例の平面図である。
【図２】図１の一部拡大図である。
【図３】図２の要部を右側から見て一部を断面で示したの側面図である。
【図４】セット状態を図１と同様にして見て示した平面図である。
【図５】露光作動開始直前の状態を図１と同様にして見て示した平面図である。
【符号の説明】
【００４０】
１                                  シャッタ地板
１ａ，２ａ，３ａ                    開口部
１ｂ，１ｃ                          長孔
１ｄ，１ｅ，１ｆ，１ｇ，１ｈ        軸
２                                  中間板
３                                  補助地板
４，５                              緩衝部材
６                                  支持板
６ａ，６ｂ，６ｃ，６ｄ，６ｅ        孔
７                                  プリント基板
８，９                              ねじ
１０                                先羽根用駆動部材
１０ａ，１０ｃ                      被押動部
１０ｂ，１３ｂ                      取付部
１０ｃ，１３ｃ                      駆動ピン
１１，１４                          鉄片部材
１１ａ，１４ａ                      軸部
１１ｂ，１４ｂ                      鉄片部
１１ｃ，１４ｃ                      鍔部
１２，１５                          圧縮ばね
１３                                後羽根用駆動部材
１３ａ                              ローラ
１６                                セット部材
１６ａ，１６ｂ                      押動部
１７                                先羽根用電磁石
１７ａ，１８ａ                      鉄芯部材
１７ｂ，１８ｂ                      コイル
１７ｃ，１８ｃ                      ボビン
１８                                後羽根用電磁石
１９，２０                          取付軸
２１，２２                          永久磁石
２３，２４                          チューブ
２５，２６，３０，３１              アーム
２７，２８，２９，３２，３３，３４  羽根
【図１】
2008257016.tif 000003
【図２】
2008257016.tif 000004
【図３】
2008257016.tif 000005
【図４】
2008257016.tif 000006
【図５】
2008257016.tif 000007